(57)【要約】【課題】カラー表示を可能にすると同時に、表示部の真偽判定を容易に行える画像表示媒体及び情報記録媒体が望まれていた。【解決手段】所定の色の荷電性粒子が封入されたカプセルが対向する基材間に挟まれてあり、該カプセルに対して電気的駆動信号を与えることで画像表示を行う表示手段を有し、該対向する基材のうち少なくとも該画像表示を見る側の基材は可視光に対して透過性を有する可視光透過性基材であって、少なくともキラル相を持つ液晶構造を有する配向された三次元架橋物質を含む層を、該可視光透過性基材の側の全面かまたは一部分に設けたことを特徴とする画像表示媒体を提供する。【選択図】図１
2004045690.tif 000002
【特許請求の範囲】
【請求項１】
所定の色の荷電性粒子が封入されたカプセルが対向する基材間に挟まれてあり、該カプセルに対して電気的駆動信号を与えることで画像表示を行う表示手段を有し、該対向する基材のうち少なくとも該画像表示を見る側の基材は可視光に対して透過性を有する可視光透過性基材であって、少なくともキラル相を持つ液晶構造を有する配向された三次元架橋物質を含む層を、該可視光透過性基材の側の全面かまたは一部分に設けたことを特徴とする画像表示媒体。
【請求項２】
前記三次元架橋物質を含む層が、異なる波長域の光を反射する領域を、少なくとも２種類以上組み合わせて配置されていることを特徴とする画像表示媒体。
【請求項３】
前記三次元架橋物質が、前記表示手段の画像表示を見る側から入射した光のうち、右回転の一部の偏光を反射する右偏光性物質か、あるいは、左回転の一部の偏光を反射する左偏光性物質のいずれか一方のみであることを特徴とする請求項１又は２のいずれかに記載の画像表示媒体。
【請求項４】
前記三次元架橋物質が、前記表示手段の画像表示を見る側から入射した光のうち、右回転の一部の偏光を反射する右偏光性物質と、左回転の一部の偏光を反射する左偏光性物質との、少なくとも両方を含んであり、該右偏光性物質と該左偏光性物質とが、混合されていることを特徴とする請求項１又は２のいずれかに記載の画像表示媒体。
【請求項５】
前記三次元架橋物質が、ねじれ軸の回転方向が右巻きか、又は、左巻きの、少なくともいずれか一方であるコレステリック高分子液晶を用いていることを特徴とする請求項１乃至４のいずれかに記載の画像表示媒体。
【請求項６】
少なくともＩＣチップを有する情報記録媒体であって、請求項１乃至５のいずれかに記載の画像表示媒体が、該画像表示媒体により表示される画像を外側に向けて該情報記録媒体に設けてあり、前記画像表示媒体に画像を表示させるドライバを設けてあることを特徴とする情報記録媒体。
【請求項７】
請求項６に記載の表示機能を設けた情報記録媒体であって、該情報記録媒体内に埋め込まれてある回路基板に設けられたアンテナにより、外部からの電磁波を電力に変換し、前記画像表示媒体の駆動に該電力が用いられることを特徴とする情報記録媒体。
【請求項８】
請求項１乃至５のいずれかに記載の画像表示媒体、あるいは、請求項６又は７のいずれかに記載の情報記録媒体を使用する真偽判定方法であって、前記表示手段による情報が表示される表示部に向けて、少なくとも円偏光板を光学フィルターに用いた真偽判定フィルターを介して目視観察を行い、前記三次元架橋物質の偏光性に起因する光学作用の有無を利用して、該光学作用が無ければ偽物と判定することを特徴とする画像表示媒体あるいは情報記録媒体の真偽判定方法。
【請求項９】
前記真偽判定フィルターとして、右偏光板を用いた光学フィルターと、左偏光板を用いた光学フィルターの両方を用いることを特徴とする請求項８に記載の画像表示媒体あるいは情報記録媒体の真偽判定方法。
【発明の詳細な説明】
【０００１】
【発明の属する技術分野】
本発明は、電界等の作用により可逆的に視認状態を変化させ得る、電気泳動表示方法すなわち、分散媒中に電気泳動粒子を分散させた分散系をマイクロカプセルに個々に封入したものを電極板間に配装した表示媒体およびこれを設けた情報記録媒体、並びにそれらの真偽判定方法に関する。
【０００２】
【従来の技術】
電気泳動表示装置としては、少なくとも一方は透明な２枚の基板を、スペーサーを介して所用間隔を空け、対向配置して密閉空間を形成し、この密閉空間に顔料成分分散粒子をこれと色調と異なる色に着色された分散媒中に分散させた表示液を充填して表示パネルとし、この表示パネルに電界を印加して表示を得ようとするものである。
密封空間に充填される電気泳動表示用液は、アルコール系溶媒、各種エステル類、脂肪族炭化水素、脂環式炭化水素、芳香族炭化水素、ハロゲン化炭化水素又はその他の種々の油等からなる分散媒、酸化チタン、カーボンブラック、フタロシアニングリーン等の電気泳動粒子、この分散粒子とコントラストをもたらすための染料、界面活性剤等の分散剤及び電荷付与剤等の添加剤からなることが、一般的に知られている。この表示液に電界を印加することにより、表示液中の分散粒子が透明板側に移動し表面には分散粒子の色が現れる。これと逆方向の電界を印加することにより、分散粒子は背面側に移動し、表面には染料により着色された分散媒の色が現れるというものである。
【０００３】
このような電気泳動表示装置は、電界の向きを制御することにより所望の表示を得ることができる。また、表示液が比較的入手可能な低コスト材料である、視野角が通常の印刷物並みに広い、消費電力が小さい、メモリ性を有する等の長所を持つことから、安価な表示装置として注目されている。
また、このような分散粒子と分散媒とからなる分散系をマイクロカプセル中に封入する方法（特開平１−８６１１６号公報／登録番号　第２５５１７８３号）や、分散媒中の着色剤として染料の代わりに顔料を用いる方法（特開２００１−１８８２６９号公報）などの手法が提案されている。
【０００４】
【発明が解決しようとする課題】
しかしながら、これらの電気泳動表示装置では、表示の色調は電界の印加によって移動する分散粒子の色と分散媒を着色している染料又は顔料の色調に限定され、例えば“白と黒”や“白と青”といった２値的な表示が可能となるのみであるという欠点を有していた。
このような欠点を解決する方法として、複数のマイクロカプセル中に異なった着色剤と融点の異なった熱溶融性媒質を内包させることにより、熱制御及び電界制御によってカラー表示を行おうとする方法（特開２０００−１９８２２８号公報）なども提案されているが、これは制御方法が煩雑であり、電圧制御の他に熱制御をも必要とすることから、実用面での問題がある。
【０００５】
また、ＩＤカード・クレジットカード・キャッシュカード・定期券・プリペイドカード・ポイントカード・免許証といったような各種ＩＣカード類、タグ、パスポートなどなど、表示機能の利便性を付与する以外にセキュリティ性が要求されるような応用分野においては、表示部での真偽判定が出来にくいという問題を有していた。
【０００６】
本発明は、このような従来の欠点を解消し、単色表示ではなく、少なくとも複数色のカラー表示を可能にすると同時に、用途によっては、表示内容の真偽を問われるものに対して、その表示部の真偽判定を容易に行える画像表示媒体及び情報記録媒体を提供するものである。
【０００７】
【課題を解決するための手段】
請求項１に記載の発明は、所定の色の荷電性粒子が封入されたカプセルが対向する基材間に挟まれてあり、該カプセルに対して電気的駆動信号を与えることで画像表示を行う表示手段を有し、該対向する基材のうち少なくとも該画像表示を見る側の基材は可視光に対して透過性を有する可視光透過性基材であって、少なくともキラル相を持つ液晶構造を有する配向された三次元架橋物質を含む層を、該可視光透過性基材の側の全面かまたは一部分に設けたことを特徴とする画像表示媒体。
【０００８】
請求項２に記載の発明は、前記三次元架橋物質を含む層が、異なる波長域の光を反射する領域を、少なくとも２種類以上組み合わせて配置されていることを特徴とする画像表示媒体。
【０００９】
請求項３に記載の発明は、前記三次元架橋物質が、前記表示手段の画像表示を見る側から入射した光のうち、右回転の一部の偏光を反射する右偏光性物質か、あるいは、左回転の一部の偏光を反射する左偏光性物質のいずれか一方のみであることを特徴とする請求項１又は２のいずれかに記載の画像表示媒体。
【００１０】
請求項４に記載の発明は、前記三次元架橋物質が、前記表示手段の画像表示を見る側から入射した光のうち、右回転の一部の偏光を反射する右偏光性物質と、左回転の一部の偏光を反射する左偏光性物質との、少なくとも両方を含んであり、該右偏光性物質と該左偏光性物質とが、混合されていることを特徴とする請求項１又は２のいずれかに記載の画像表示媒体。
【００１１】
請求項５に記載の発明は、前記三次元架橋物質が、ねじれ軸の回転方向が右巻きか、又は、左巻きの、少なくともいずれか一方であるコレステリック高分子液晶を用いていることを特徴とする請求項１乃至４のいずれかに記載の画像表示媒体。
【００１２】
請求項６に記載の発明は、少なくともＩＣチップを有する情報記録媒体であって、請求項１乃至５のいずれかに記載の画像表示媒体が、該画像表示媒体により表示される画像を外側に向けて該情報記録媒体に設けてあり、前記画像表示媒体に画像を表示させるドライバを設けてあることを特徴とする情報記録媒体。
【００１３】
請求項７に記載の発明は、請求項６に記載の表示機能を設けた情報記録媒体であって、該情報記録媒体内に埋め込まれてある回路基板に設けられたアンテナにより、外部からの電磁波を電力に変換し、前記画像表示媒体の駆動に該電力が用いられることを特徴とする情報記録媒体。
【００１４】
請求項８に記載の発明は、請求項１乃至５のいずれかに記載の画像表示媒体、あるいは、請求項６又は７のいずれかに記載の情報記録媒体を使用する真偽判定方法であって、前記表示手段による情報が表示される表示部に向けて、少なくとも円偏光板を光学フィルターに用いた真偽判定フィルターを介して目視観察を行い、前記三次元架橋物質の偏光性に起因する光学作用の有無を利用して、該光学作用が無ければ偽物と判定することを特徴とする画像表示媒体あるいは情報記録媒体の真偽判定方法。
【００１５】
請求項９に記載の発明は、前記真偽判定フィルターとして、右偏光板を用いた光学フィルターと、左偏光板を用いた光学フィルターの両方を用いることを特徴とする請求項８に記載の画像表示媒体あるいは情報記録媒体の真偽判定方法。
【００１６】
【発明の実施の形態】
以下、本発明の画像表示媒体・情報表示媒体及びその真偽判定方法について、一実施形態を、図面を参照して詳細に説明する。
＜１＞画像表示媒体の構成
図１は、本実施例の画像表示媒体の基本構成を示す断面図である。
電極（２，３）を施したプラスチックやガラスなどの基材（４，５）によって、画像表示層（１）を挟持した画像表示媒体において、透明基材（４）の透明電極（２）を施した面の反対側に、コレステリック高分子液晶からなる三次元架橋物質を含む層（６）が積層されている。尚、さらに保護層等を設けたとしても何ら問題はない。
また、コレステリック液晶層からなる三次元架橋物質を含む層（６）は、必ずしも、透明基材（４）の透明電極（２）を施した面の反対側に設ける必要はなく、透明電極と目視観察する側の間に設ければ、何れの位置でも良い。
【００１７】
基材としては、ポリエチレンテレフタレート（ＰＥＴ）、ポリエチレンナフタレート（ＰＥＮ）、ポリカーボネート（ＰＣ）、ポリアクリレート、ポリイミド等の寸法安定性の優れたプラスチック基材や、ガラス類などを用いることができる。またプラスチック基材の場合には、基材上に透気性制御層や易接着性層などの機能性層を設けたものであってもよい。
【００１８】
電極の方式については、任意のものを選択可能である。本発明に用いるマイクロカプセル型電気泳動方式などにおいては、透明電極（２）は、全面に同一の電位がかかる共通電極とし、電極（３）には、アクティブマトリックス電極、セグメント電極等による電極を採用することもできる。
【００１９】
画像表示層（１）であるマイクロカプセル型電気泳動方式について説明する。マイクロカプセル（１１）は、メタクリル酸樹脂、ユリア樹脂、アラビアゴム等をカプセル殻とし、内部には酸化チタンからなる白の粒子（１３）とカーボンブラックからなる黒の粒子（１４）が、シリコーンオイル等の粘性の高い分散媒（１２）で分散され封入されている。白の粒子である酸化チタンは正電荷を帯びており、一方黒の粒子であるカーボンブラックは負電荷を帯びている。
【００２０】
このため、二つの電極（２，３）に電界を印加して、透明電極（２）が負極、電極（３）が正極になった場合、正に帯電した白の粒子（１３）が透明電極（２）側に引かれ、黒の粒子（１４）が電極（３）側に引かれるので、透明電極（２）側の上方から観察するとその部分が白く見える。
【００２１】
逆に透明電極（２）が正極、電極（３）が負極になった場合、正に帯電した白の粒子（１３）が電極（３）側に引かれ、黒の粒子（１４）が透明電極（２）側に引かれるので、透明電極（２）の上方から観察するとその部分が黒く見える。
【００２２】
画像表示層（１）は、このようなマイクロカプセル（１１）を多数有しており、電極（２，３）の各アドレス電極の電界を制御することで、所望の文字や図形を白と黒の画素で表示させることができる。
上記の例に於いては、マイクロカプセルは白黒の２種類の粒子を含有させたモノクロ（白黒）の表示であるが、粒子の位置を電位のかけ方で多段階に調整することで中間調の表示を行うことなども可能である。
【００２３】
また、上記のマイクロカプセルでは白黒の２種類の粒子を含有させているが、１種類の粒子を用い、分散媒を黒に着色させることでもモノクロ（白黒）表示を実現することができる。
【００２４】
マイクロカプセルをアクティブマトリックス駆動法で駆動する場合は、電極（３）は画素電極として画素毎に独立してパターニングされ、図示しない薄膜トランジスタ、信号電極、および走査電極を併設し、透明電極（２）は透明基材上に一様に形成された透明な共通電極とする。この場合、透明電極（２）を共通電極にすると全面同一電位になるので（例えば電位をゼロとする）、電極（３）側の各アドレス電極の電界を制御（正または負の電位を与える）することで、上記の原理に基づき電極位置のマイクロカプセル内の粒子を移動させ、所望の画像を表示させることができる。
【００２５】
同様に、電極（３）を共通電極とし、電極（２側の各アドレス電極の電界を制御することで、電極位置のマイクロカプセル内の粒子を移動させることで所望の画像を表示させるようにしてもよい。
時分割駆動の場合は、電極（２，３）は互いに直交するライン状のＩＴＯ（Ｉｎｄｉｕｍ　Ｔｉｎ　Ｏｘｉｄｅ：インジウムスズ）等の透明導電体からなる透明電極により構成され、両電極の交わる領域にマイクロカプセルを形成する。
【００２６】
もちろん、駆動方式は上述したものに限定されず、用途に応じて最適なものを選択すればよい。
マイクロカプセルの径は、種々のものを採用することが可能だが、約４０μｍ〜約１００μｍのものを採用すると十分な解像度と応答性を得ることができる。表示画像の解像度は主として電極フィルム中の電極の配置（解像度）に依存するが、マイクロカプセルの径が小さければ分散媒中のマイクロカプセルの移動速度が速くなり、結果として表示の際の応答性に優れる（応答速度が速い）というメリットがある。
【００２７】
以上のようなマイクロカプセル型電気泳動方式の表示体上に、コレステリック高分子液晶からなる三次元架橋物質を含む層を設けることにより、任意に設定された特定波長の光を選択的に反射させることができることから、マイクロカプセル中に封入された材料に係わらず、視認色を設定することができる。
更には、図２に示すように、異なった波長域を反射するように設定された前記三次元架橋物質複数種をパターン状に設けることにより、多色表示をもすることが可能となる。
【００２８】
また、本発明の画像表示媒体では、目視角度によって、色の変化がおこる。即ち、図３に示すように、自然光（２１）を受けると、マイクロカプセル中の黒色粒子が透明基材（４）側に移動している部分において、Ａ視点（２２）およびＢ視点（２３）で観察した場合に、鮮明な色変化を呈する。
【００２９】
＜２＞情報記録媒体の構成
図４は、情報記録媒体として、非接触ＩＣカードを例とした場合の１例を示すものである。
例のような非接触式のＩＣカードの場合には、外部アンテナからＩＣカード内のコイルアンテナにデータと共に電力供給を行う。データはＲＦ回路で復調され、必要に応じてドライバを通じて画像表示部に表示される。このように、ＩＣカード内のデータを、外部機器を用いることなく画像表示部に表示させることができる。
【００３０】
非接触式のＩＣカード製造方法の例として、例えば熱可塑性樹脂を用いた射出整形法によりＩＣユニットを包み込んでカード形状とする方法と、射出成型を行うか切削加工等を施してＩＣユニット装着個所を設けた第一、第二の樹脂板を形成し、その内部にＩＣユニットを装着した後、第一、第二の樹脂板を接着あるいは熱融着等によって一体化する方法などがある。
【００３１】
後者の方法においては、第一、第二の樹脂板には熱可塑性樹脂と、熱硬化性樹脂のどちらを使用しても良い。
熱可塑性樹脂としては塩化ビニル樹脂、ポリスチレン樹脂、ＡＢＳ樹脂（アクリルニトリルブタジエンスチレン共重合樹脂）、ＳＡＮ樹脂（アクリロニトリルスチレン共重合樹脂）、アクリル樹脂、ポリサルホン樹脂、ポリカーボネート樹脂、ポリエチレン樹脂、ポリプロピレン樹脂、ポリアミド樹脂、ポリアセタール樹脂、ポリエステル樹脂、ポリエチレンテレフタレート（ＰＥＴ、ＰＥＴ−Ｇ）等が挙げられる。
【００３２】
また、熱硬化性樹脂としては、フェノール樹脂、ユリア樹脂、メラミン樹脂、ポリエステル樹脂、エポキシ樹脂、ポリウレタン樹脂、キシレン樹脂、シリコーン樹脂等が挙げられる。
前記第一、第二の樹脂板の少なくとも一方に、ＩＣユニット（ＩＣモジュール）を装着するための凹部を形成し、この凹部にＩＣユニットを装着する。
ついで、前記第一、第二の樹脂板の合せ面を接着あるいは熱融着し、一体化することによって、非接触ＩＣカードとすることができる。
但し、非接触式ＩＣカード化の製造方法としては、必ずしもこれらの方法に限定されるものではない。
【００３３】
＜３＞表示の制御等
本実施形態の作用について説明する。ＩＣカード（３１）の電源を、外部のＩＣカードリーダライタから供給し、この電源の供給によって画像表示部（３２）への表示を行なう。この画像表示部（３２）の表示は、ドライバを通して行ない、例えばＣＰＵまたはメモリのデータを他の外部機器、例えばパソコンやＯＡ機器に伝送する前に画像表示部（３２）に表示させるものである。
【００３４】
この画像表示部（３２）には様々な使用方法がある。例えば、ＩＣカード（３１）は従来の磁気カード等に比べて大量のデータを記憶することができるものであるが、それでもアプリケーションの多様化に伴い個人の所有するＩＣカードの枚数も増加することが想定される。その場合に、ＩＣカードの情報内容を示す索引情報を表示させてインデックスの代わりにすることなどが考えられる。これにより、従来のように特定の人のみによる設定内容の変更、設定内容の確認などの問題を解決し、ユーザーがＩＣカード１の内容を容易に確認することができる。また、これにより、誤ったデータをコンピュータやＯＡ機器に送るといったミスを防ぐことができる。
【００３５】
本実施形態のＩＣカード（３１）は、画像表示部（３２）に不揮発性を有するマイクロカプセル型電気泳動式ディスプレイを採用しているため、電力の供給が無くなってもそのまま表示画像が残存する。したがって、リーダライタ等からＩＣカード（３２）を離しても、メモリ内の内容等が視覚的に確認できる。また、画像表示部（３２）のデータ書換えの際にのみ電力を供給すれば良いので、電力の消費が少なくてすむものである。
【００３６】
＜４＞真偽判定の方法
図５は、図４に示した非接触ＩＣカードの画像表示部上に真偽判定フィルターを乗せた場合の見え方の概略図である。
画像表示部（３２）の最上層に右回転のコレステリック高分子液晶からなる三次元架橋物質を含む層を設けた場合には、右回転の真偽判定フィルター（４１２）を介すると、画像表示部（３２）に表示された情報（文字・画像　等）は、該三次元架橋物質が反射する特定波長域の光に起因する色相（３２２）を視認することができる。
一方、左回転の真偽判定フィルター（４１１）を介すると、表示された情報は、黒色（３２１）として観察することができる。
又、画像表示部（３２）の最上層に右回転のコレステリック高分子液晶からなる三次元架橋物質と、これとは異なった波長域の光を反射する左回転のコレステリック高分子液晶からなる三次元架橋物質との混合物を含む層を設けた場合には、右回転の真偽判定フィルター（４１２）を介すると、画像表示部（３２）に表示された情報（文字・画像　等）は、右回転のコレステリック高分子液晶からなる三次元架橋物質が反射する特定波長域の光に起因する色相（３２２）を視認することができるのに対し、左回転の真偽判定フィルター（４１１）を介すると、表示された情報は、左回転のコレステリック高分子液晶からなる三次元架橋物質が反射する特定波長域の光に起因する色相（３２１）として観察することができる。
即ち、フィルターの種類によって、二種類の色相を別々に観察することが可能となる。
このように従来のディスプレイ材料では難しい、表示部自体へのセキュリティ性の付与が可能となった。
【００３７】
ここで用いられている三次元架橋物質とは、キラル相を有する三次元架橋性液晶物質を配向し、三次元的に架橋したもので、透明基材上に塗布した後に、直接架橋させて反射色相を制御する方法と、事前に架橋させたものを所望の粒度に粉砕して得られた顔料をバインダーと混ぜ合わせ、公知の印刷方式または、コーティング方式によって設ける方法のどちらの手法を用いてもよい。
【００３８】
また、コレステリック液晶はねじれ構造を有し、そのねじれ軸に沿って、光の屈折率が周期的に変動するため、ピッチに等しい波長の光を選択的に反射する。従って、ピッチを制御することで所望のコレステリック色を作り出すことが可能である。また、ねじれ構造を有する液晶は、各分子が層を成して配置されており、層中で均一に配列されることで、初めてその光学的特性を形成する。この場合、分子は層毎にその優先方向を変えるので、ねじれ構造が生じる。各分子の配向は公知の方法、例えば配向層又は電界又は磁界によって制御することができる。また、その固定化の代表的な方法は、キラル相を有する三次元架橋性液晶物質と多官能性重合性物質を組み合わせ、紫外線等を照射することで、三次元架橋し、ねじれ構造を固定化でき、コレステリック高分子液晶ができる。
【００３９】
コレステリック高分子液晶の出発物質としては、紫外線から赤外線の光の波長に等しいピッチを有するねじれ構造を有する全てのコレステリック液晶物質が好ましい。即ち、キラル相を有する液晶物質はネマチック、スメクチック又はディスコチック構造にキラル物質を加えることで製造できる。キラル物質の種類又は分子量がねじれ構造のピッチ、しいては反射光の波長を決定する。該構造のねじれ方向は左向きでも右向きでもよい。さらに出発物質は重合性基、重縮合性基または重付加に有効な基を有し、これらの基のうち、少なくとも一部は二官能性、三官能性および多官能性を示し、例えばメタクリルオキシ基、アクリルオキシ基等を有することが好ましい。
【００４０】
三次元架橋物質の製造方法としては、例えば、三次元架橋性液晶ポリオルガノシロキサンと光重合開始剤の混合溶液を、金属支持体、プラスチック支持体又は、ガラス支持体上に加温しながらドクターを用いて剪断力を加えながら塗布し、液晶分子を配向させる。次に、液晶層に紫外線を照射し、三次元架橋させる。
この際、加温温度を制御しながら、紫外線をパターン露光することにより、任意のパターンで、反射色相の異なる三次元架橋物質層を形成することが可能となり、温度を変化させながらこの作業を繰り返すことにより、例えばカラーフィルターのような形態を形成することも可能となる。
また、三次元架橋した液晶層を支持体から剥離し、万能ミル等で粉砕することによりフレーク状の顔料とすることもできる。該顔料の大きさは５μｍ〜５ｍｍ、１〜１００μｍ、好ましくは５〜５０μｍの厚さを有する。
また、該支持体は場合により、例えばポリイミド又はポリビニルアルコールからなる配向層を有していても良い。
さらに液晶分子の配向方法としては、２枚のシート間で剪断することもできる。
【００４１】
真偽判定フィルター（４１１，４１２）は、円偏光板であり、ＰＶＡ延伸フィルムにヨードを吸収させたＰＶＡ−ヨウ素型、二色性染料型、金属または金属化合物含有型、ポリエン型などの高分子多結晶型などが考えられ、特にＰＶＡ−ヨウ素型、二色性染料型フィルムが用いられた偏光フィルムに１／４λ波長位相差フィルムを重ねたものであり、位相差を１／４λ分進めるか遅らせるかで、右又は左の回転方向が決まる。
【００４２】
【発明の効果】
請求項１乃至５に記載に係る画像表示媒体は、マイクロカプセル型電気泳動式の表示媒体上にキラル相を持つ液晶構造を有する配向せれた三次元架橋物質を含む層を設けたもので、これにより従来の電気泳動式表示媒体では難しかった多色表示を可能とするものであり、同時に角度を変えて観察すると表示色が変化するというＯＶＩ（Ｏｐｔｉｃａｌ　Ｖａｒｉａｂｌｅ　Ｉｎｋ）インキを用いたのと同様のセキュリティ性を有する可変表示を可能とするものである。
【００４３】
請求項６乃至７に記載の発明に係る情報記録媒体は、ＩＣチップ等を有する情報記録媒体と前記画像表示媒体を組み合わせることにより、特にＩＤカード、クレジットカード、キャッシュカードといったカード類や、タグ類、さらにはパスポートや運転免許証などといったようなセキュリティ性を要求される情報記録媒体類において、表示機能とセキュリティ性を同時に付与するものである。
【００４４】
請求項８乃至９に記載の発明に係る真偽判定方法は、前記のＯＶＩインキと類似のセキュリティ性を持つと同時に、比較的安価な円偏光フィルターを真偽判定用部材として用いることにより、明瞭かつ簡便な真偽判定方法を提供するものである。
【００４５】
【図面の簡単な説明】
【図１】本実施例の画像表示媒体の基本構成を示す概念断面図である。
【図２】本実施例の画像表示媒体のコレステリック高分子液晶層を設けた場合を示す概念断面図である。
【図３】本発明の一実施形態における画像表示媒体の目視セキュリティ性（ＯＶＩインキと類似の効果）を示す概念断面図である。
【図４】本発明の一実施形態における非接触ＩＣカード形態の情報記録媒体を示す概念平面図である。
【図５】図４に示した非接触ＩＣカードの画像表示部上に真偽判定フィルターを乗せた場合の見え方の概念平面図である。
【符号の説明】
１……画像表示層
２……透明電極
３……電極
４……透明基材
５……基材
６……コレステリック高分子液晶層
１１……マイクロカプセル
１２……分散媒質
１３……白色粒子
１４……黒色粒子
２１……自然光
２２……反射光Ａ
２３……反射光Ｂ
３１……非接触ＩＣカード
３２……画像表示部
３２１……黒色色相（又は、左回転の固有色相）
３２２……右回転の固有色相
４１……真偽判定フィルター
４１１……左回転の真偽判定フィルター
４１２……右回転の真偽判定フィルター
【図１】
2004045690.tif 000003
【図２】
2004045690.tif 000004
【図３】
2004045690.tif 000005
【図４】
2004045690.tif 000006
【図５】
2004045690.tif 000007